(57)【要約】【課題】  ユーザの利便性を低下させることなく容易に長さ測定を可能とする携帯端末を得る。【解決手段】  本発明による携帯端末は、紐状体または帯状体のメジャーテープ５と、携帯端末内に回転可能に取り付けられメジャーテープ５を巻き取り巻き出し自在に保持するリール６とを有するメジャーを内蔵する。また、該携帯端末は、リール６の回転軸に接続されリール６の回転量に応じた信号を出力するエンコーダ７と、エンコーダ７からの該信号を基にメジャーから巻き出したメジャーテープ５の長さを算出する演算部１１とを含む。【選択図】      図１
2010112770.tif 000002
【特許請求の範囲】
【請求項１】
紐状体または帯状体のメジャーテープと、携帯端末内に回転可能に取り付けられ前記メジャーテープを巻き取り巻き出し自在に保持するリールとを有し、携帯端末に内蔵されたメジャーと、
前記リールの回転軸に接続され前記リールの回転量に応じた信号を出力するエンコーダと、
前記エンコーダからの前記信号を基に前記メジャーから巻き出した前記メジャーテープの長さを算出する演算手段とを含むことを特徴とする携帯端末。
【請求項２】
前記演算手段は、前記長さに対して予め指定された演算条件に応じた演算を行うことを特徴とする請求項１記載の携帯端末。
【請求項３】
前記演算条件は縮尺を含み、前記演算手段は前記長さに対して予め指定された前記縮尺に応じた演算を行うことを特徴とする請求項２記載の携帯端末。
【請求項４】
前記演算条件は単位を含み、前記演算手段は前記長さに対して予め指定された前記単位に単位換算を行うことを特徴とする請求項２または３記載の携帯端末。
【請求項５】
前記演算手段の演算結果を表示する表示手段を更に含むことを特徴とする請求項１〜４いずれか記載の携帯端末。
【請求項６】
紐状体または帯状体のメジャーテープと、携帯端末内に回転可能に取り付けられ前記メジャーテープを巻き取り巻き出し自在に保持するリールとを有するメジャーを内蔵した携帯端末の動作制御方法であって、
前記リールの回転軸に接続され前記リールの回転量に応じた信号を出力するエンコーダからの前記信号を基に前記メジャーから巻き出した前記メジャーテープの長さを算出する演算ステップを含むことを特徴とする動作制御方法。
【請求項７】
前記演算ステップは、前記長さに対して予め指定された演算条件に応じた演算を行うことを特徴とする請求項６記載の動作制御方法。
【請求項８】
前記演算条件は縮尺を含み、前記演算ステップは前記長さに対して予め指定された前記縮尺に応じた演算を行うことを特徴とする請求項７記載の動作制御方法。
【請求項９】
前記演算条件は単位を含み、前記演算ステップは前記長さに対して予め指定された前記単位に単位換算を行うことを特徴とする請求項７または８記載の動作制御方法。
【請求項１０】
前記演算ステップによる演算結果を前記携帯端末の表示部に表示するステップを更に含むことを特徴とする請求項６〜９いずれか記載の動作制御方法。
【請求項１１】
紐状体または帯状体のメジャーテープと、携帯端末内に回転可能に取り付けられ前記メジャーテープを巻き取り巻き出し自在に保持するリールとを有するメジャーを内蔵した携帯端末の動作制御方法をコンピュータに実行せしめるプログラムであって、
前記リールの回転軸に接続され前記リールの回転量に応じた信号を出力するエンコーダからの前記信号を基に前記メジャーから巻き出した前記メジャーテープの長さを算出する演算処理を含むことを特徴とするプログラム。
【発明の詳細な説明】
【技術分野】
【０００１】
本発明は携帯端末、動作制御方法及びプログラムに関し、特に長さ測定機能付き携帯端末に関する。
【背景技術】
【０００２】
特許文献１には、引き出し型メジャーとカメラを内蔵した携帯端末において、携帯端末から引き出されたメジャーの目盛りをカメラによって読み取ることにより、長さを算出することが記載されている。特許文献１記載の携帯端末には、引き出されたメジャーがカメラの真上を通過するようにメジャーをガイドするメジャーガイドが設けられている。
【０００３】
【特許文献１】特開２００５−２３３８９３号公報
【発明の開示】
【発明が解決しようとする課題】
【０００４】
以上説明したように、特許文献１では、カメラによってメジャーの目盛りを読み取るようにしているので、カメラレンズの汚れやキズ、周囲環境（暑いところから寒いところに移動した場合など）によって生じるカメラレンズの曇り等によって、取得画像の精度低下や画像処理自体ができなくなることがある。
【０００５】
また、特許文献１記載の携帯端末には、引き出されたメジャーの目盛りをカメラが読み取ることができるようにメジャーガイドが設けられている。しかしながら、小型化が求められる携帯端末の筐体にこのようなガイドを設けることはユーザの利便性を損なう。
【０００６】
本発明の目的は、上述した課題を解決し、ユーザの利便性を低下させることなく容易に長さ測定を可能とする携帯端末、動作制御方法及びプログラムを提供することにある。
【課題を解決するための手段】
【０００７】
本発明による携帯端末は、紐状体または帯状体のメジャーテープと、携帯端末内に回転可能に取り付けられ前記メジャーテープを巻き取り巻き出し自在に保持するリールとを有し、携帯端末に内蔵されたメジャーと、前記リールの回転軸に接続され前記リールの回転量に応じた信号を出力するエンコーダと、前記エンコーダからの前記信号を基に前記メジャーから巻き出した前記メジャーテープの長さを算出する演算手段とを含むことを特徴とする。
【０００８】
本発明による動作制御方法は、紐状体または帯状体のメジャーテープと、携帯端末内に回転可能に取り付けられ前記メジャーテープを巻き取り巻き出し自在に保持するリールとを有するメジャーを内蔵した携帯端末の動作制御方法であって、前記リールの回転軸に接続され前記リールの回転量に応じた信号を出力するエンコーダからの前記信号を基に前記メジャーから巻き出した前記メジャーテープの長さを算出する演算ステップを含むことを特徴とする。
【０００９】
本発明によるプログラムは、紐状体または帯状体のメジャーテープと、携帯端末内に回転可能に取り付けられ前記メジャーテープを巻き取り巻き出し自在に保持するリールとを有するメジャーを内蔵した携帯端末の動作制御方法をコンピュータに実行せしめるプログラムであって、前記リールの回転軸に接続され前記リールの回転量に応じた信号を出力するエンコーダからの前記信号を基に前記メジャーから巻き出した前記メジャーテープの長さを算出する演算処理を含むことを特徴とする。
【発明の効果】
【００１０】
本発明によれば、ユーザの利便性を低下させることなく容易に長さ測定を可能とするという効果が得られる。
【発明を実施するための最良の形態】
【００１１】
本発明の実施の形態について説明する前に、本発明の理解を助けるために、本発明の原理について図面を参照して説明する。図１は本発明の原理を説明するための携帯端末の概略構成を示す図である。
【００１２】
図１に示した携帯端末は、紐状体または帯状体のメジャーテープ５と、携帯端末内に回転可能に取り付けられメジャーテープ５を巻き取り巻き出し自在に保持するリール６とを有するメジャーを内蔵した携帯端末である。また、図１に示した携帯端末は、リール６の回転軸に接続されリール６の回転量に応じた信号を出力するエンコーダ７と、エンコーダ７からの該信号を基にメジャーから巻き出したメジャーテープ５の長さを算出する演算部１１とを含む。
【００１３】
このように、演算部１１は、リール６の回転軸に接続されリール６の回転量に応じた信号を出力するエンコーダ７からの信号を基にメジャーから巻き出したメジャーテープ５の長さを算出するようにしているので、特許文献１に記載のように周囲環境等が長さ測定に影響を与えることなく、また携帯端末の筐体にメジャーガイドを設ける必要がなく、したがって、ユーザの利便性を低下させることなく容易に長さ測定が可能となる。
【００１４】
以下、本発明の実施の形態について図面を参照して説明する。
【００１５】
図２は本発明の実施の形態による携帯端末の構成を示す図であり、（ａ）は携帯端末の外観を示す図であり、（ｂ）はメジャーユニット１の構成を示す図である。図３は本発明の実施の形態による携帯端末の構成を示すブロック図であり、図３においてエンコーダ７に接続された図２のリール６及びメジャーテープ５の図示は省略されている。なお、図２及び図３において、図１と同等部分は同一符号にて示している。
【００１６】
図２に示すように、本発明の実施の形態による携帯端末の本体内部にはメジャーユニット１が内蔵されている。リール６は携帯端末内に回転可能に取り付けられており、リール周面に巻き付けられた紐状または帯状のメジャーテープ５は携帯端末筐体の引出部（引出口）２から引き出し可能であり、また巻取ボタン３が押下されると、引き出されたメジャーテープ５がリール６の回転によって自動的に巻き取られる構造となっている。エンコーダ７は、リール６の回転軸に接続され、リール６の回転量に応じた電気信号を出力する。
【００１７】
また、図３に示すように、本発明の実施の形態による携帯端末は、制御部８と、表示部４と、図２の巻取ボタン３を含むキー入力部９と、記憶部１０とを更に含む。制御部８は、エンコーダ７からの信号を基にメジャーユニット１から引き出されたメジャーテープ５の長さを算出する。記憶部１０は、予め演算条件（長さの単位、縮尺など）を記憶しており、制御部８は、算出された長さに対して演算条件に応じた演算を行い、表示部４に演算結果を表示する。
【００１８】
演算条件として単位が指定されている場合には、制御部８は、算出された長さに対して該単位に単位換算を行う。また、演算条件として縮尺が指定されている場合には、制御部８は、算出された長さに対して該縮尺に応じた演算を行う。例えば地図上のある地点間の長さが測定対象であり、地図の縮尺が１／２０００である場合、算出された長さに２０００を乗算する。
【００１９】
図４は本発明の実施の形態による携帯端末の動作を示すフローチャートである。以下、本発明の実施の形態による携帯端末の動作について図２〜図４を参照して説明する。例えば、メジャーユニット１からメジャーテープ５が引き出されると、制御部８はエンコーダ７を介してこれを検知し、これにより測定モードに移行する。なお、メジャーテープ５の引き出しではなく、キー入力部９を用いた所定のユーザ操作に応答して制御部８は測定モードに移行するようにしてもよい。
【００２０】
測定モードに移行すると、図４において、制御部８は演算条件（長さの単位、縮尺など）の入力を受け付け、ユーザはキー入力部９を用いて所望の演算条件を入力し設定する（ステップＳ１）。記憶部１０に予め複数の演算条件が格納されており、複数の演算条件の中からユーザがキー入力部９を用いて所望の演算条件を選択するようにしてもよい。
【００２１】
そして、制御部８は、エンコーダ７からの信号を基にメジャーユニット１から引き出されたメジャーテープ５の長さを算出する（ステップＳ２）。このとき、制御部８は、算出された長さに対しステップＳ１にて入力された演算条件に応じた演算を行う。そして、制御部８は、表示部４に演算結果を表示する（ステップＳ３）。巻取ボタン３が押下されると（ステップＳ４）、制御部８は測定モードを解除し、長さ測定を終了する。
【００２２】
演算条件は測定モード中にいつでも変更できるようにしてもよい。この場合、測定モード中に演算条件変更のためのキー入力部９を用いた所定のユーザ操作がなされると、図４のステップＳ１と同様に制御部８は演算条件の変更を受け付け、この変更された演算条件に応じた演算を行って演算結果を表示する（ステップＳ２及びＳ３）。
【００２３】
また、演算結果が記憶部１０に保存されるようにしてもよい。この場合、測定モード中に演算結果保存のためのキー入力部９を用いた所定のユーザ操作がなされると、制御部８は演算結果を記憶部１０に保存する。あるいは、図４のステップＳ４の巻取ボタン３の押下に応答して、制御部８は演算結果を記憶部１０に保存するようにしてもよい。また、演算結果の保存の際に、制御部８はユーザに保存ファイル名の入力を求めるようにしてもよい。
【００２４】
以上説明したように、本発明の実施の形態では、エンコーダ７からのリール６の回転量に応じた信号を基にメジャーユニット１から引き出されたメジャーテープ５の長さを求めるようにしている。したがって、特許文献１に記載のように周囲環境等が長さ測定に影響を与えることなく、また携帯端末の筐体にメジャーガイドを設ける必要がないので、ユーザの利便性を低下させることなく容易に長さ測定が可能となる。
【００２５】
なお、図４に示したフローチャートに従った携帯端末の処理動作は、該端末において、予めＲＯＭ等の記憶媒体に格納されたプログラムを、ＣＰＵ（制御部）となるコンピュータに読み取らせて実行せしめることにより、実現できることは勿論である。
【００２６】
また、本発明の実施の形態は、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）を含む携帯端末装置全般に適用可能である。また、本発明の実施の形態による携帯端末は、メタボリック予防などのための身体測定用グッズとして利用することができ、携帯端末の無線通信機能を用いて測定データを主治医などに送信することも可能である。
【図面の簡単な説明】
【００２７】
【図１】本発明の原理を説明するための携帯端末の概略構成を示す図である。
【図２】本発明の実施の形態による携帯端末の構成を示す図であり、（ａ）は携帯端末の外観を示す図であり、（ｂ）はメジャーユニット１の構成を示す図である。
【図３】図２の携帯端末の構成を示すブロック図である。
【図４】図２及び図３の携帯端末の動作を示すフローチャートである。
【符号の説明】
【００２８】
１    メジャーユニット
２    引出部
３    巻取ボタン
４    表示部
５    メジャーテープ
６    リール
７    エンコーダ
８    制御部
９    キー入力部
１０    記憶部
１１    演算部
【図１】
2010112770.tif 000003
【図２】
2010112770.tif 000004
【図３】
2010112770.tif 000005
【図４】
2010112770.tif 000006